(57)【要約】  作者によって管理されたスペースにマルチメディアデータを挿入する段階と、作者によって管理されたスペースに含まれるマルチメディアデータにアクセスする権利を受け、仮想コミュニティを構成する、許可された人々のリストを作者によって確立する段階と、作者によって管理されたスペースへのアクセスを求める訪問者認証段階と、認証された訪問者の識別情報を作者に通知する段階とを備える、マルチメディアデータを共有する方法であって、認証された訪問者とのインタラクティブリアルタイム通信のセッションを作者によって自動的に開始する段階を備えることを特徴とする、方法。
2010508743.tif 000002
【特許請求の範囲】
【請求項１】
作者によって管理されたスペースにマルチメディアデータを挿入する段階と；
作者によって管理されたスペースに含まれるマルチメディアデータにアクセスする権利が与えられ、仮想コミュニティを構成する、許可された人々のリストを作者によって確立する段階と；
作者によって管理されたスペースへのアクセスを求める訪問者認証段階と；
認証された訪問者の識別情報を作者に通知する段階とを備える、マルチメディアデータを共有するための方法であって、
認証された訪問者とのインタラクティブリアルタイム通信セッションを作者によって自動的に開始する段階を備えることを特徴とする、方法。
【請求項２】
作者によって管理されたスペースへのマルチメディアデータの挿入について宛先に通知する、メッセージの宛先リストに送信する段階を備えることを特徴とする、請求項１に記載の方法。
【請求項３】
各マルチメディアデータについて、一方では条件付きアクセス規則、もう一方ではデジタル権利管理（ＤＲＭ）を定義する段階を備えることを特徴とする、請求項１または２に記載の方法。
【請求項４】
通信セッションを開始する前に、認証された訪問者によって作者のマルチメディアデータをナビゲーションする段階と；
認証された訪問者がナビゲーションの間に辿った経路を作者の端末上に表示することを伴う段階とを備えることを特徴とする、請求項１から３のいずれか一項に記載の方法。
【請求項５】
こうした端末が仮想コミュニティのメンバのうちの１つに属すると認識されない場合、訪問者の端末を介して前記端末に関連する訪問者の識別情報を通信する段階を備えることを特徴とする、請求項１から４のいずれか一項に記載の方法。
【請求項６】
作者のマルチメディアデータおよび関連するメタデータを含むデータベース（１）を備えることを特徴とする、請求項１から５のいずれか一項に記載の方法を実装するためのサーバ。
【請求項７】
メタデータが、マルチメディアデータへの条件付きアクセスと、デジタル権利管理（ＤＲＭ）の両方に関する情報を備えることを特徴とする、請求項６に記載のサーバ。
【請求項８】
プレゼンスサーバ（７）が、作者のために好ましくはどの宛先が使用され得るかを示し、作者への通知を前記宛先に送信し、こうした通知が、認証された訪問者の識別情報を含むことを特徴とする請求項６または７に記載のサーバ。
【請求項９】
具体的には訪問者の端末およびネットワークの能力に応じてマルチメディアコンテンツを提示するデータ適応機能（８）を備えることを特徴とする、請求項６から８のいずれか一項に記載のサーバ。
【請求項１０】
データ適応機能（８）が、事前定義された文書テンプレートに従ってそのフォーマットを適応させることを特徴とする、請求項９に記載のサーバ。
【請求項１１】
作者に関連する端末と、訪問者に関連する端末（３）と、訪問者に関連する端末（３）からデータベース（１）のマルチメディアコンテンツ表示要求を受信するゲートウェイ（４）とをさらに備える、請求項６から１０のいずれか一項に記載のサーバを備えるネットワーク。
【請求項１２】
マルチメディアコンテンツのナビゲーション機能が端末（３）に組み込まれることを特徴とする、請求項１１に記載のネットワーク。
【請求項１３】
デジタル権利管理（ＤＲＭ）規則が端末に組み込まれることを特徴とする、請求項１１または１２に記載のネットワーク。
【発明の詳細な説明】
【技術分野】
【０００１】
本発明は、マルチメディアの技術分野に関する。
【背景技術】
【０００２】
現在、デジタルカメラを備える装置の使用により、マルチメディアデータの作成は絶えず増加している。こうしたデータを他の人々（家族、友人、スポーツチーム、仕事上のグループ）と共有し、そのデータにリアルタイムにコメントすることが望まれる。
【０００３】
多くのウェブサイトは、マルチメディアコンテンツの共有を可能にする。しかし、こうしたサイト上のマルチメディア文書への参照は、インタラクティブではない。
【０００４】
ブログ（Ｂｌｏｇ、Ｊｏｕｅｂ、またはウェブ（Ｗｅｂ）とログ（ｌｏｇ）の縮約形から生じたかばん語、Ｗｅｂｌｏｇ）もまた、マルチメディアコンテンツの共有を可能にする。ブログは、しばしば単一の作者によって個人的に、時間とともに新しい順に公開されているテキスト、ハイパーテキスト、リンクおよび／または画像の形の自由かつ定期的な表現のウェブサイトである。個人のブログによって、人々は考えまたは気持ちを日々公開することができ、訪問者は、ブログの内容への反応の跡を残すことができる。Ｔｅｃｈｎｏｒａｉｔ、Ｆｅｅｄｓｔｅｒ、Ｓｐｈｅｒｅなど、いくつかのサーチエンジンがブログ専用になるほどにまで、ブログは大いに成功している。ブログの数は６カ月ごとに倍増し、数千万ものブログが存在すると推定される。ブログの最も一般的な用途は、オンライン日記またはトラベログである。一部の人々は、興味を共有し、あるいはアマチュアまたはプロの写真を公開するためにブログを作成する。プロのジャーナリストまたは政治家によって維持されるオピニオンブログ、ならびに企業ブログもよく知られている。ブログは、モバイル端末から更新され得る。ブログは一般に、以下の構成要素を含む：
−  新しい順に分類されたメッセージ（ポスト）、
−  日付で参照され得るブログのアーカイブ；
−  同一の仮想コミュニティに属することを作者らが相互認識することを表す外部リンクのリスト（ブログロール）；
−  ブログのそれぞれ異なる構成要素：メッセージタイトル、内容、日付、作者、リンクについて、タグによって構造化された説明を提供するＲＳＳフロー（Ｒｉｃｈ  Ｓｉｔｅ  Ｓｕｍｍａｒｙ：リッチサイトサマリー、Ｒｅａｌｌｙ  Ｓｉｍｐｌｅ  Ｓｙｎｄｉｃａｔｉｏｎ：リアリーシンプルシンジケーション）。
【０００５】
ブログには、いくつかの欠点がある。ブログは原則として、どんなインターネットユーザによっても訪問されることができ、また一般に、閉じたまたは条件付きアクセスの仮想コミュニティを作成することを可能にしない。ブロガーは、偽名を名乗る（ａｓｓｕｍｅ  ｆａｌｓｅ  ｉｄｅｎｔｉｔｉｅｓ）ことができ、様々なニックネームがしばしば現れる。ブロガーは、目に見えず、一般の人々と対面しない。さらに、多くのブログは、リアルタイムの対話を可能にしない。さらに、ブログでは、マルチメディア文書は、違法の複製行為から適切に保護されていない。
【０００６】
Ｍｉｃｒｏｓｏｆｔ  Ｗｉｎｄｏｗｓ（登録商標）  Ｌｉｖｅ  Ｓｐａｃｅｓプラットフォームは、ＭＳＮ  Ｍｅｓｓｅｎｇｅｒインスタントメッセージングソフトウェアを備えた古いＭＳＮ  Ｓｐａｃｅｓプラットフォームの古い機能性を、ユーザがそれ自体の連絡先の友人と連絡を取るために友人を招待することを可能にするＦｒｉｅｎｄｓ  Ｅｘｐｌｏｒｅｒモジュールと結合する。Ｗｉｎｄｏｗｓ（登録商標）  Ｌｉｖｅ  Ｓｐａｃｅｓは、個人スペースおよび条件付きアクセスコミュニティの作成を可能にする。初期設定パラメータは、ウェブページの作者のスペースへのアクセス権をＷｉｎｄｏｗｓ（登録商標）  Ｌｉｖｅ  Ｍｅｓｓｅｎｇｅｒ友人リストに制限し、また潜在的には、誰が作者と連絡を取ってもよいか、誰が作者のプロファイルを見てもよいか、また作者のスペースの内容を誰が見ることができるか指定する。
【０００７】
複数のアプリケーション、例えばテレエンジニアリング、（Ｅラーニング）、ビジネス会議を有するインターネットテレビ会議システム（例えばＷｅｂｅＸ  Ｍｅｅｔｉｎｇ  Ｃｅｎｔｅｒ、Ｍｉｃｒｏｓｏｆｔ  Ｌｉｖｅ  Ｍｅｅｔｉｎｇ、Ｃｉｔｒｉｘ  ＧｏＴｏ  Ｍｅｅｔｉｎｇ、Ｇｒｏｏｖｅ  Ｖｉｒｔｕａｌ  Ｏｆｆｉｃｅ、ｅＺｍｅｅｔｉｎｇ）も知られている。テレビ会議は、少なくとも２つの異なる所に位置するユーザグループ間で、音声およびアニメーション付きカラー画像、ならびにコンピュータデータをポイントツーポイントまたはマルチポイントモードでリアルタイム双方向転送することを提供する視聴覚テレビ会議サービスである。ＶＲＶＳ（Ｖｉｒｔｕａｌ  Ｒｏｏｍ  Ｖｉｄｅｏｃｏｎｆｅｒｅｎｃｉｎｇ  Ｓｙｓｔｅｍ：仮想ルームテレビ会議システム）は例えば、Ｍｂｏｎｅ上でまたはＨ３２３プロトコルで仮想会議室を予約することを可能にする。Ｈ３２３端末は、例えばＭｉｃｒｏｓｏｆｔによるＮｅｔｍｅｅｔｉｎｇやＥｋｉｇａなどのソフトウェアを備える。
【０００８】
テレビ会議システムには、いくらかの欠点がある。具体的には、マルチメディア文書は、セッション内でしか見ることができず、セッションは、マルチメディア文書の公開の前に開かれなければならない。
【０００９】
出願人は、２つのＩＰアプリケーションを介したインタラクティブテレビ：ＡｍｉｇｏＴＶおよびＭｙＯｗｎＴＶを開発している。
【００１０】
ＡｍｉｇｏＴＶと称されたインタラクティブテレビ技術によって、ユーザは、コミュニティ内で意見および感情を共有することができる。複数の友人が同じＴＶ番組を見るとき、彼らはＡｍｉｇｏＴＶを用いて、彼らの間でそれについて生でコメントすることができ、その音声がインターネットを介して伝わる。このようにして、６人が同時に通信することができる。誰がテレビにスイッチを入れ、彼らがどのチャンネルを見ているか知るために、ユーザは単に、リモコンを用いて、こうしたすべての情報がリアルタイムに表示されており、コミュニティのメンバの出席が、重ね合わされたアバターによって示されているメニューを参照する。ＡｍｉｇｏＴＶは、ＴＶで放送されたイベントに対する気分を示すために、カタログから選択された画像および音声を送ることをも可能にする。
【００１１】
ＭｙＯｗｎＴＶは、仮想コミュニティ内の対話を将来可能にすることが意図された統合テレビ電話サービスを用いて、制限されたサークル内でユーザがマルチメディアコンテンツ（写真、ビデオ）を共有することを可能にする別の、ユーザ本位の（ｕｓｅｒ−ｆｏｃｕｓｅｄ）トリプルプレーの提供である。マルチメディアコンテンツは、コミュニティのメンバによって、テレビ／デコーダセットを用いて見られる。この解決策では、リアルタイムの対話は行われず、モバイル環境は考慮されていない。データ保護は認証によって保証され、文書、より具体的にはそのコピーの使用を制御する手段はない。
【００１２】
文献、米国特許第６３０１６０７号明細書は、インターネットを介して画像を表示し共有する装置および方法について記載している。デジタル（写真またはビデオ）画像はサーバに送られ、画像の送信者によって選択された人のリストに電子メールが自動的に送信され、こうした自動メッセージは、新しい画像がサーバに投稿されたことをこうした人々に通知する。サーバに送られる画像に、ＩＰアドレス、電話番号および画像についての説明などのデータが添付されてもよい。画像をクリックするとき、作者とのＩＰ電話会話がトリガされる。
【先行技術文献】
【特許文献】
【００１３】
【特許文献１】米国特許第６３０１６０７号明細書
【発明の概要】
【発明が解決しようとする課題】
【００１４】
本発明は、コミュニティ内でマルチメディアコンテンツを共有することを可能にするサービスを提案することを目的とし、こうしたサービスは、既存システムの欠点による影響を受けない。
【課題を解決するための手段】
【００１５】
このために、第１の態様によれば、本発明は、マルチメディアデータを共有するための方法に関し、こうした方法は：
−  作者によって管理されたスペースにマルチメディアデータを挿入する段階と；
−  作者によって管理されたスペースに含まれるマルチメディアデータにアクセスする権利が与えられ、仮想コミュニティを構成する、許可された人々のリストを作者によって確立する段階と；
−  作者によって管理されたスペースへのアクセスを求める訪問者認証段階と；
−  認証された訪問者の識別情報を作者に通知する段階と；
を備え、こうした方法は、認証された訪問者とのインタラクティブリアルタイム通信セッションを作者によって自動的に開始する段階を備える。
【００１６】
この文脈では、「インタラクティブ」は、作者と訪問者の間の双方向通信が可能であることを意味する。したがって、例えば、訪問者と作者は、最も最近の休暇のビデオなどのマルチメディア文書を見るときに感情を共有することができる。
【００１７】
この文脈では、「リアルタイム」は、作者と訪問者の間で交換されたデータの処理が、処理遅延を作者または訪問者が感じず、したがって作者と訪問者が共通の体験を共有していると感じるような速度で行われることを意味する。これは、時間制約に従わないことによって障害が生じるリアルタイムについて必ずしも厳密に述べていない。有利には、こうしたリアルタイムは、事前定義された応答時間までは最適なサービス品質を保証し、次いでその応答時間を超えるとサービス品質を低下させる柔軟なリアルタイムである。
【００１８】
有利には、この方法は、作者によって管理されたスペースへのマルチメディアデータの挿入について宛先（ａｄｄｒｅｓｓ）に通知するメッセージの宛先リストを送信する段階を備える。こうした宛先リストは、まだ作者の仮想コミュニティのメンバでない人を含んでもよい。こうした宛先は、例えば、コミュニティのメンバの友人であり得る。
【００１９】
有利には、この方法は、各マルチメディアデータについて、一方では条件付きアクセス規則、もう一方ではデジタル権利管理（ＤＲＭ：Ｄｉｇｉｔａｌ  Ｒｉｇｈｔｓ  Ｍａｎａｇｅｍｅｎｔ）を定義する段階を備える。したがって、作者は、そのスペースへの所与の任意の訪問者についてマルチメディアデータのコピーまたは修正を許可し、または許可せず、あるいは、例えば、所与の任意のデータを見ることができる時間を設定することができる。
【００２０】
有利には、この方法は、通信セッションを開始する前に、認証された訪問者によって作者のマルチメディアデータをナビゲーションする段階と、認証された訪問者がナビゲーションの間に辿った経路を作者の端末上に表示することを伴う段階とを備える。したがって、通信を設定する前に、作者は、訪問者の興味の焦点を知っている。
【００２１】
有利には、この方法は、こうした端末が仮想コミュニティのメンバのうちの１つに属すると認識されない場合、訪問者の端末を介して前記端末に関連する訪問者の識別情報を通信する段階を備える。
【００２２】
第２の態様では、本発明は、上記で提示された方法を実装するためのサーバに関し、こうしたサーバは、作者のマルチメディアデータおよび関連するメタデータを含むデータベースを備える。有利には、メタデータは、マルチメディアデータへの条件付きアクセスと、デジタル権利管理（ＤＲＭ）の両方に関する情報を備える。
【００２３】
有利には、プレゼンスサーバが、作者のために好ましくはどの宛先が使用され得るか示し、認証された訪問者の識別情報を含む作者への通知を前記宛先に送る。したがって、作者は、作者が移動していようが（この場合、メッセージがそのモバイル通信端末に届く）、自宅または職場にいようが（メッセージが、例えばそのＴＶまたはデスクトップコンピュータに届く）、その仮想スペースへのありとあらゆる訪問についての通知を受けることができる。
【００２４】
有利には、データ適応機能は、具体的には訪問者の端末およびネットワークの能力に応じてマルチメディアコンテンツを提示する。データ適応機能は、例えば、事前定義された文書テンプレートに従ってそのフォーマットを適応させる。有利な一実施形態では、ビデオデータは、端末によってサポートされたコーデックに従って符号化され、使用されるネットワーク帯域幅を減少させるために、画像解像度が端末の特性に適応する。
【００２５】
第３の態様によれば、本発明は、下記に提示されるサーバを備えるネットワークに関し、こうしたネットワークはさらに、作者に関連する端末と、訪問者に関連する少なくとも１つの端末（電話、ＰＤＡ、コンピュータ、デコーダなど）と、端末から生じるデータベースマルチメディアコンテンツ表示要求を受信するゲートウェイとを備える。
【００２６】
有利には、マルチメディアコンテンツのナビゲーション機能が、端末に組み込まれる。
【００２７】
有利には、デジタル権利管理（ＤＲＭ）規則が、端末に組み込まれる。
【００２８】
本発明の他の目的および利点は、下記の説明を考慮し、一実施形態における本発明によるサービスの主な機能を表す添付の図面を参照することによって明らかになる。
【図面の簡単な説明】
【００２９】
【図１】一実施形態における本発明によるサービスの主な機能を表す図である。
【発明を実施するための形態】
【００３０】
図１に見られるように、マルチメディアデータ共有は、マルチメディアデータと、関連するメタデータとを含むデータベース１を備える。
【００３１】
この文脈では、「マルチメディアデータ」は、具体的には作者の（物理的な人、団体、会社を指す）個人デジタルデータであると見なされる。こうしたマルチメディアデータは、例えば写真やビデオであり得る。この文脈では、単語「作者」は、データの作成者、または作者のマルチメディアデータの使用権を有するどんな人をも指す。
【００３２】
この文脈では、単語「メタデータ」は、デジタルデータに関連する１組のデータを指す。
【００３３】
メタデータは有利には、データの作者の宛先、例えば電子メール、電話番号、ＩＰアドレスなどを備える。
【００３４】
メタデータは有利には、画像の説明、例えば、地理的情報、写真が取られた日付、旅行情報などを備える。こうしたメタデータの存在によって、データベース１内のナビゲーションが容易になる。
【００３５】
有利には、メタデータは、一方ではマルチメディアデータへの条件付きアクセスに関する情報、もう一方ではデジタル権利管理規則を備える。例えば、作者は、どのコミュニティがデータを見、適切であればそれを１回または複数回コピーし、さらにはそれを修正する権利を与えられているか指定してもよい。
【００３６】
ダウンロード機能２は、リモート装置３（デスクトップコンピュータ３ａ、携帯電話３ｂ、デコーダ３ｃ、ＰＤＡすなわち携帯情報端末）でセッションを開くことを可能にする。
【００３７】
セッションの初めに、リモート装置３が認証される。知られていないリモート装置については、ある機能が、エンドユーザの識別情報を、その様々な宛先（例えば電話番号、スカイプログイン、電子メール）と共に要求する。
【００３８】
ゲートウェイ４は、端末３から生じるデータベース１のマルチメディアコンテンツの表示要求を受け取る。マルチメディアデータのナビゲーション機能は、端末３に組み込まれる。したがって、エンドユーザは、要求されたマルチメディア文書を例えば日付でフィルタリングするために、コミュニティの名前およびオプションの基準を選択してもよい。
【００３９】
ゲートウェイ４は、一方では条件付きアクセス管理機能５、もう一方ではデジタル権利管理（ＤＲＭ）に関して、端末３の真正性、および前記端末に関連する許可を検証する役割を担う。この機能５は、所与のコミュニティについてマルチメディアコンテンツをブラウズすることを訪問者が許可されていることを検証する。この管理機能５は有利には、有効な著作権保護のために文書使用を制御する役割を担う。例えば、文書の作者は、文書がコピーされ得るか、それともコピーされ得ないか指定してもよい。作者は、文書を見ることができる期間、ならびにそれを見てもよいコミュニティを指定することもできる。
【００４０】
ゲートウェイ４は、自動通信の確立の機能６によって、マルチメディアコンテンツの作者との通信を通知しまたは確立する役割を担う。この機能６は、マルチメディアコンテンツを参照する人と、そのコンテンツの作者の間で通信セッションを自動的に確立することを可能にする。前記機能６は、作者の様々な宛先（電子メール、電話番号、ＩＰアドレスなど）を識別する。次いで、それは、好ましくはどの宛先が使用され得るかに関してプレゼンスサーバ７に問い合わせ、訪問者の名前を含む通知を作者に送る。通知は、ＰＣ、携帯電話またはテレビに表示され得る。
【００４１】
ゲートウェイ４は、データ適応機能８を呼び出す役割を担い、こうした適応機能８は、端末およびネットワークの容量、データ量、エンドユーザの希望など、様々な異なる基準に応じてマルチメディアコンテンツを提示する。画像およびビデオ特性は、修正されてもよい（画像解像度、カラー番号、サポートされたフォーマット）。データ適応機能８は、事前定義された文書テンプレートに従ってそのフォーマットを適応させる。写真用テンプレートのいくつかの例は：
−  写真の全体的なビューを与えるための縮小写真（ｍｉｎｉａｔｕｒｅ）を含むテーブルを伴う画面；
−  後または前の画像をダウンロードするための大画像およびボタンを伴う画面であり得る。
【００４２】
公開された文書の作者のために、データ提示機能は、訪問者およびその識別情報でブラウズされた文書を示すための小さいアイコンを作成する。こうしたアイコンは、ブラウズされた文書に関するリアルタイム情報を提供し、容易なコメントならびに訪問者との対話を可能にする。
【００４３】
通信確立の要求は、作者または訪問者によって、単一のクリックでトリガされ得る。被呼側が通信を受け入れる場合、セッションが開かれる。
【００４４】
セッションの間、作者は、どのコンテンツが訪問者によってブラウズされているか見ることができる。データ提示機能によって生成され、参照されたコンテンツに対応するアイコンが、作者に送信される。デジタル権利特性が、安全な配信のために端末に組み込まれる。文書の作者のために、この機能は、画面上でエンドユーザに何が見えるかの詳細を可能にし、例えば、この機能は、どの写真が現在ズームされているかサーバに通知する。それは、例えばビデオ情報（ビデオシーケンス名、フィルムの開始、フィルムの開始からの時間、休止制御）をも通知する。文書の作者と通信が確立されるとき、こうした情報は、作者に転送される。この情報を用いて、文書の作者と訪問者の間の対話は、より円滑に進み、容易になり（ｕｓｅｒ  ｆｒｉｅｎｄｌｙ）、したがって感情および意見がリアルタイムに共有され得る。
【００４５】
本発明は、様々な異なるタイプの端末からマルチメディアコンテンツに容易にアクセスすることを可能にする。具体的には、ゲートウェイは、コミュニティによって作成されたマルチメディア文書を様々な異なるタイプの端末（モバイル端末、デスクトップコンピュータ、テレビ）からナビゲーションすることを可能にする。文書は、端末あるいはネットワークの容量に適応し得る。
【００４６】
本発明は、簡単なクリックでマルチメディア文書の作者と訪問者の間の通信を確立することを可能にする。
【００４７】
本発明は、高度なデジタル権利管理機能を用いたマルチメディアコンテンツの保護を可能にする。
【００４８】
サービスプロバイダのために、本発明は、新しく魅力的なサービスを提案することを可能にする。いくつかのビジネスモデルが提案されてもよく：作者および訪問者は、サービスに対する料金を支払ってもよい。広告が、マルチメディア文書に加えられてもよい。サービスは、追加のトラフィックを生成することもできる。
【図１】
2010508743.tif 000003
【国際調査報告】
2010508743.tif 000004
2010508743.tif 000005
2010508743.tif 000006
2010508743.tif 000007